(57)【特許請求の範囲】
【請求項１】
弦楽器の弦を前記弦楽器のブリッジから単一部分として可逆的に取り外すための装置であって、
前記装置が取り外し可能部分および非取り外し可能部分を含み、
前記非取り外し可能部分は、前記取り外し可能部分に結合された前記弦の位置に対応する、前記弦の各々に対して１つの弦保持チャンネルを含み、前記取り外し可能部分が前記非取り外し可能部分によって固定されるときに、前記取り外し可能部分に結合された前記弦の各々が対応する弦保持チャンネル内に着座する装置。
【請求項２】
前記非取り外し可能部分が、前記取り外し可能部分を固定するように適合されている、請求項１に記載の装置。
【請求項３】
前記取り外し可能部分が、前記弦楽器の前記弦に可逆的に結合するための手段を更に含む、請求項１又は２に記載の装置。
【請求項４】
前記弦に可逆的に結合するための手段は、前記取り外し可能部分に、前記弦の各々に対して少なくとも１つの開口を有する、請求項３に記載の装置。
【請求項５】
前記非取り外し可能部分は、前記取り外し可能部分の意図しない離脱を防ぐ保持手段を有し、前記保持手段は、前記弦の張力に抗して前記取り外し可能部分を保持するように適合されている、請求項１〜４のいずれかに記載の装置。
【請求項６】
前記保持手段は、ボディの方向に実質的に垂直な方向での前記取り外し可能部分の動きを防ぐ手段を含む、請求項５に記載の装置。
【請求項７】
前記保持手段はリップを含み、前記リップは、前記弦楽器の前記ボディと実質的に平行な平面内で、前記弦楽器のネックから離れる方向に突出する、請求項６に記載の装置。
【請求項８】
前記リップは、各弦が通ることができる弦保持チャンネルを有する、請求項７に記載の装置。
【請求項９】
前記取り外し可能部分が前記非取り外し可能部分によって固定されるとき、前記取り外し可能部分は、前記弦楽器の前記ボディの表面より上に配置される、請求項８に記載の装置。
【請求項１０】
前記取り外し可能部分が前記非取り外し可能部分によって固定されるとき、前記弦楽器の前記弦は前記弦楽器の共鳴室の開口の上に配置される、請求項５〜９のいずれかに記載の装置。
【請求項１１】
前記取り外し可能部分が舌部を有する、請求項１〜６のいずれかに記載の装置。
【請求項１２】
前記非取り外し可能部分は溝を有し、前記取り外し可能部分の前記舌部が前記非取り外し可能部分の前記溝によって固定されるように、前記取り外し可能部分の前記舌部は前記非取り外し可能部分の前記溝に可逆的に結合する、請求項１１に記載の装置。
【請求項１３】
前記非取り外し可能部分が舌部を有する、請求項１〜６のいずれかに記載の装置。
【請求項１４】
前記取り外し可能部分は溝を有し、前記非取り外し可能部分の前記舌部が前記取り外し可能部分の前記溝によって固定されるように、前記非取り外し可能部分の前記舌部は前記取り外し可能部分の前記溝に可逆的に結合する、請求項１３に記載の装置。
【請求項１５】
前記取り外し可能部分は、共鳴室の表面より約１．５ｍｍだけ上で前記非取り外し可能部分に固定される、請求項１１〜１４のいずれかに記載の装置。
【請求項１６】
前記非取り外し可能部分は保持手段および溝の両方を含み、前記取り外し可能部分は舌部を含む、請求項５〜１５のいずれかに記載の装置。
【請求項１７】
前記取り外し可能部分は溝を含み、前記非取り外し可能部分は保持手段および舌部の両方を含む、請求項５〜１５のいずれかに記載の装置。
【請求項１８】
前記取り外し可能部分は４つの側壁および上表面および下表面を有し、前記側壁の１つは、前記弦楽器のネックの方向に向く遠位端であり、もう一つの側壁は、前記弦楽器の前記ネックの反対方向を向く近位端であり、近位および遠位の前記側壁は、前記共鳴室の上面の平面に実質的に垂直に延び、前記上表面および下表面は、前記共鳴室の表面の平面に平行である、請求項１０又は１５のいずれかに記載の装置。
【請求項１９】
前記取り外し可能部分は、前記取り外し可能部分に前記弦を固定するための２つ以上の開口を有する、請求項１８に記載の装置。
【請求項２０】
前記取り外し可能部分の前記２つ以上の開口のうちの第１の開口は、前記近位端と前記遠位端との間の導管を形成する、請求項１９に記載の装置。
【請求項２１】
前記取り外し可能部分の前記２つ以上の開口のうちの第２の開口は、前記上表面と前記近位端との間の導管を形成する、請求項２０に記載の装置。
【請求項２２】
前記弦を前記第１の開口に通し、それから前記第２の開口に通すことによって前記弦楽器の前記弦が固定され得るように、前記第１の開口と前記第２の開口は、互いからオフセットして配置される、請求項２１に記載の装置。
【請求項２３】
前記取り外し可能部分は、前記弦楽器の前記弦の各々に対して第１の開口および第２の開口を含む、請求項２２に記載の装置。
【請求項２４】
請求項１〜２３に記載の装置を有する非打撃型の弦楽器。
【請求項２５】
前記非打撃型の弦楽器がギターである、請求項２４に記載の非打撃型の弦楽器。
【請求項２６】
前記ギターが折り畳み可能なギターである、請求項２５に記載の非打撃型の弦楽器。
【発明の詳細な説明】
【技術分野】
【０００１】
本出願は、弦楽器の弦（複数）を単一部分（single piece／単一部品・単一片・一体部分・一体片）として可逆的に取り外すための装置に関するものである。より詳細には、本出願は、弦楽器のための取り外し可能なブリッジ、及び、そのような取り外し可能なブリッジ（駒）を含む弦楽器に関するものである。
【背景技術】
【０００２】
多くの弦楽器は、ブリッジを有している。ブリッジは、弦を楽器のボディに固定し、正しい高さに位置させて、打弦されたときにそれらの弦が共鳴し得るようにする。
【０００３】
弦楽器のボディまたはネックを検査するか、または、修復するために、弦は個別に取り外されなければならない。これは、時間のかかるプロセスであって、楽器は、その後、再び弦を張られ、再びチューニングされる必要があるので更に好ましくなくなる。楽器に再び弦を張ることは、長いプロセスであって、新しい弦の追加コストを含むこともあり得る。
【０００４】
その上、折り畳み可能なギターのような折り畳み可能な楽器を分解するとき、弦もまた取り外すか、或いは、弦を付けたままにして、ギターのボディ内に保管されなければならず、弦をもつれさせる結果となることがある。上記のように、楽器の弦を取り外して再び弦を張ることは、時間がかかる場合があり、弦がもつれることになった場合、弦にダメージを与えることになる場合がある。
【発明の概要】
【発明が解決しようとする課題】
【０００５】
本発明は、上述のような欠点を軽減しようとするものである。
【課題を解決するための手段】
【０００６】
本発明による装置の第１の実施形態においては、弦楽器（弦付き器具）の弦（複数）を該弦楽器のブリッジから単一部分として可逆的に取り外すための装置が提供される。前記弦を単一部分として取り外すことで、さもなければ前記弦によって邪魔され得る楽器のボディおよびネックに容易にアクセスできるようになる（ボディおよびネックの取り扱いが容易になる）。本発明の文脈では、「可逆的に」という用語は、取り外し可能部分が、ユーザによって要求される回数だけ、非取り外し可能部分に連結したり、非取り外し可能部分から取り外したりできることを意味する。
【０００７】
好適には、上記の装置は取り外し可能部分と非取り外し可能部分を含む。より好適には、前記非取り外し可能部分は、前記取り外し可能部分を前記弦楽器に固定するように構成されている。好適には、ブリッジが２つの部分に分けられ、前記非取り外し可能部分が前記取り外し可能部分を迅速かつ効率よく固定するために用いられ得る。これにより、ユーザは、最小限の努力で楽器のボディから前記弦を取り外したり、交換したりすることができる。前記取り外し可能部分および前記非取り外し可能部分が前記弦楽器のブリッジを形成する。取り外し可能なブリッジを有することは、前記弦が乱雑になったり、もつれたりすることなく、前記弦を弦楽器から取り外すことを可能にする。多くの弦楽器では、楽器の一端のブリッジの開口に弦を通すことによって弦は楽器に固定される。例えば、ギターは、一端においてギターのボディに、他端においてギターのヘッドに、弦を固定するブリッジを有している。取り外し可能なブリッジを有すると、それによって、速く、そして、不当な努力無しで、ギターのボディから弦を取り外すことができるようになるので有利である。弦はギターのボディまたはギターのネックの造作を検査するか、または、取り替えるために取り外され得る。例えば、ギターのフレットは、すり切れて交換を必要とするようになる場合がある。或いは、取り外し可能なブリッジは、折り畳み可能なギターの分解の部品として有用である場合がある。１つの実施形態においては、単一の部分として弦を取り外すために、前記ブリッジの前記取り外し可能部分は、折り畳み可能なギターであり得る前記弦楽器の取り外し可能なヘッドストックと共に使用される場合がある。弦楽器のヘッドストックは、楽器のブリッジとは反対側の端にあって、しばしば、楽器を調整／チューニングするための手段を含む部分である。したがって、取り外し可能なブリッジと取り外し可能なヘッドストックの組合せは、弦楽器から弦を取り外すための手段を構成し得る。他の実施形態においては、弦楽器は取り外し可能なブリッジのみを有し得る。
【０００８】
好適には、前記取り外し可能部分は、前記弦楽器の前記弦に可逆的に結合するための手段を更に含む。より好適には、前記弦に可逆的に結合するための前記手段は、前記弦の各々のための少なくとも１つの開口を前記取り外し可能部分に有する。これは、前記弦が前記取り外し可能部分に固定されることと、該弦が単一の部分として前記楽器のボディから取り外されることとを許容する。
【０００９】
好適には、前記非取り外し可能部分は、前記取り外し可能部分に結合された前記弦の位置に対応する、前記弦の各々のための弦保持チャンネル（channel）を有し、それにより、前記取り外し可能部分が前記非取り外し可能部分によって固定されるときに、該取り外し可能部分に結合された前記弦の各々が、対応する弦保持チャンネル内に位置する（着座する）。前記非取り外し可能部分の前記弦保持チャンネルは、前記取り外し可能部分に結合された前記弦が正しい位置に確実に保持されることを可能にし、また、前記弦が、繰り返し打弦されてもブリッジ沿いに前記弦の位置を変えることなく音を発生し得るようにする。
【００１０】
好適には、前記非取り外し可能部分は、意図しない取り外しを防ぐ保持手段を有し、該保持手段は、前記弦の張力に抗して前記取り外し可能部分を保持するように構成されている。このことは、前記取り外し可能部分が、如何なる付加的な部品をも必要とせずに、ギターのボディに確実に保持され得るようする点で有利である。前記保持手段は、前記取り外し可能部分を前記非取り外し可能部分に結合させ、ユーザからの更なる入力または努力無しで前記取り外し可能部分を確実に取り付けることを許容する。前記弦によって発生される張力は、前記取り外し可能部分を前記非取り外し可能部分に接触させるように付勢する。
【００１１】
好適には、前記保持手段は、前記取り外し可能部分の、前記ボディの方向に実質的に垂直な方向での動きを防ぐ手段を含む。前記保持手段は、張られた弦によって前記弦楽器に発生した力が、前記弦楽器のボディから前記弦を引き離すことを防ぐ。前記保持手段無しでは、前記弦は前記弦楽器のボディから離されるように力を受け、前記取り外し可能部分は前記弦楽器のボディに垂直に力を受けるであろう。
【００１２】
好適には、前記保持手段は、リップ（lip）を含む。このリップは、前記弦楽器のボディと実質的に平行な平面内で、前記弦楽器の前記ネックから離れる方向に突出する。このリップは、前記弦楽器の前記ネックから離れる方向に向いている前記取り外し可能部分の端部で前記非取り外し可能部分から突出する。このリップを形成する前記非取り外し可能部分からの突起は、前記取り外し可能部分を適所に保持し、前記ネックの方へ、かつ、前記弦楽器のボディに対して垂直に前記取り外し可能部分を引っ張る前記弦の力により、前記取り外し可能部分を固定する止め具（ストッパー）を提供する。
【００１３】
好適には、このリップは、各弦が通ることができる前記弦保持チャンネル（複数）を有する。前記弦が前記取り外し可能部分に固定されて、前記楽器が演奏されるときに動かないように、前記弦保持チャンネルは、前記弦楽器の前記弦が適切な位置に案内されることを可能にする。前記楽器が演奏されるときの前記弦の動きは、前記弦を前記楽器のボディに対してバジングさせ（細かく振動させ）、結果として、楽器が容易に調子外れになる。
【００１４】
好適には、前記取り外し可能部分は、前記非取り外し可能部分に固定され、前記取り外し可能部分は、前記弦楽器のボディの表面より上に配置される。前記弦楽器のボディの表面より上に前記取り外し可能部分を固定させることにより、該楽器のボディに対して振動して望まれないバズ音（buzzing sound）が発生することが防がれる。
【００１５】
好適には、前記取り外し可能部分は舌部を有する。より好適には、前記非取り外し可能部分は溝（groove）を含み、前記取り外し可能部分の前記舌部が前記非取り外し可能部分の前記溝によって固定されるように、前記取り外し可能部分の前記舌部は前記非取り外し可能部分の前記溝に可逆的に結合する。舌部と溝との構成は、前記非取り外し可能部分に前記取り外し可能部分を固定する際に付加的な要素の使用を必要としない安定した可逆的に開放（取り外し）可能なシステムを提供するので有利である。例えば、もし、前記非取り外し可能部分内の開口に前記取り外し可能部分を固定するために金属ピン（複数）が前記取り外し可能部分に挿入されるならば、これらのピンが木材を弱くし、結果として圧力による前記取り外し可能部分の割れを生じ得る。他の実施形態では、溝を有する取り外し可能部分と舌部を有する非取り外し可能部分によって、上記構成を逆にできる。
【００１６】
好適には、取り外し可能部分は、共鳴室の表面より約１．５ｍｍ上で非取り外し可能部分に固定される。前記楽器が演奏されるときに前記取り外し可能部分と前記ボディとが接触したとしたときの不利ないかなる「バズ音」をも防止するように、前記取り外し可能部分と前記弦楽器のボディとの間に直接の接触が無いことは有利である。
【００１７】
好適には、取り外し可能部分は４つの側壁および上表面及び下表面を有し、側壁の１つは、弦楽器のネックの方向に向く遠位端であり、もう一つの側壁は、弦楽器のネックとは反対方向を向く近位端であり、近位および遠位の前記側壁は、共鳴室の上表面の平面に実質的に垂直に延び、上記上表面及び下表面は、共鳴室の表面の平面に平行である。
【００１８】
好適には、前記取り外し可能なブリッジは、前記弦を前記取り外し可能部分に固定するための２つ以上の開口を有する。より好適には、前記取り外し可能部分の前記少なくとも２つの開口のうちの第１の開口は、前記近位端と前記遠位端の間に導管を形成し、より好適には、前記取り外し可能部分の前記少なくとも２つの開口のうちの第２の開口は、前記上表面と前記近位端の間に導管を形成する。弦を前記第１の開口に通し、それから前記第２の開口に通すことによって弦楽器の弦が固定され得るように、前記第１の開口と前記第２の開口とがお互いからオフセットして配置されるならば、上記の構成は好ましくなり得る。この実施形態において記述される構成は、前記弦楽器の前記弦を前記取り外し可能部分に固定する手段が提供されるので有利である。弦が前記第２の開口に通されて前記近位端に再び出ることができるように、弦が前記第１の開口に通され、それから、前記近位端および上表面を周って上方に引き上げられ得る。それから、第１の開口の出口から第２の開口の入口まで弦を渡すことによって形成されるループに、弦の端部を通すことができる。弦がこのループに通されるとき、ギターを調律するために弦はぴんと張られ、前記取り外し可能部分の前記近位端に対して前記弦を留める（トラップする）ことができる。
【００１９】
好適には、前記取り外し可能なブリッジは、前記弦楽器の弦の各々に対して、第１の開口および第２の開口を含む。このようにすれば、各弦が、上述の技術を用いてギターの取り外し可能部分に固定され得るので有利である。
【００２０】
本発明による装置の第２の実施形態においては、本発明の第１の実施形態による装置を有する非打撃型の弦楽器が提供される。
【００２１】
より好適には、前記非打撃型の弦楽器は、ギターである。より好適には、前記ギターは折り畳み可能なギターである。
【図面の簡単な説明】
【００２２】
本発明は、以下に添付図面を参照して記述されるであろう。
【図１】弦楽器のための取り外し可能なブリッジの第１の実施形態を上方から見た図である。
【図２】前記装置の前記取り外し可能部分の斜視図である。
【図３】前記装置の前記非取り外し可能部分の斜視図である。
【図４】前記装置の前記非取り外し可能部分から取り外されたときの前記取り外し可能部分を上方から見た図である。
【図５】前記非取り外し可能部分に結合された前記取り外し可能部分を示す、弦楽器のための前記取り外し可能なブリッジの更なる実施形態を上方から見た図である。
【図６】前記取り外し可能部分の前記更なる実施形態における前記非取り外し可能部分に固定された前記取り外し可能部分の斜視図である。
【図７】前記取り外し可能部分の他の更なる実施形態における前記非取り外し可能部分に固定された前記取り外し可能部分の拡大斜視図である。
【図８】前記非取り外し可能部分から取り外されるときの前記取り外し可能部分の前記他の更なる実施形態の斜視図である。
【発明を実施するための形態】
【００２３】
図１を参照して、弦楽器１の弦（複数）を固定するための可逆的に取り外し可能な装置が示される。図１の実施形態においては、この装置はギターのブリッジであり、この装置は、このギターのボディに固定されるときに現れるものとして描写されている。このギターは、クラシック・ギターまたはスペイン・ギターであり得る。
【００２４】
図１は、取り外し可能部分２および非取り外し可能部分３を有する装置を示す。弦４は取り外し可能部分２に固定され、非取り外し可能部分３の弦保持チャンネル６に確実に保持される。弦４は、弦保持チャンネル６中を、そして、非取り外し可能部分３のサドル８を越えて通る。サドル８は、弦４がギター９のボディに沿って正しい高さに配置されることを確実にする。取り外し可能部分２は、非取り外し可能部分３の保持手段７によって固定されたように示されている。
【００２５】
図２は、図１の装置の取り外し可能部分２がギター９のボディから取り外された後の取り外し可能部分２を示す。取り外し可能なブリッジ２は４つの側壁および上表面及び下表面を有する。側壁の１つはギターのネックの方向を向く遠位端であり、そして、もう一つの側壁はギターのネックと反対の方向を向く近位端である。近位および遠位の側壁は、ギターの共鳴室（soundbox）の上側表面の平面に実質的に垂直に延び、上表面および下表面はギターの共鳴室の表面の平面と平行である。弦４は、取り外し可能部分２の開口（複数）５内で固定される。弦４は取り外し可能部分２の開口５に通されることができ、開口５において弦４を固定するために縛られ得る。或いは、複数の弦４は、開口に当接し開口５に弦を固定する止め具を備えることができる。
【００２６】
図３は、図１の装置の非取り外し可能部分３を側面から見た図である。非取り外し可能部分３は、ギター９のボディに固定される。保持手段７は、取り外し可能部分２が保持手段７の下に挿入され固定されることを可能にする。保持手段７は、取り外し可能部分をギター９のボディに確実に固定するために十分な長さである。そして、弦４はサドル８の上に配置され得る。
【００２７】
図４を参照すると、取り外し可能部分２および、取り外し可能部分２が取り外されたときに見える図１の非取り外し可能部分３が示されている。弦４は、取り外し可能部分２に固定されたままである。装置の１つの実施形態においては、前記２つの部分を分離するために、ユーザは、取り外し可能部分２が保持手段７の下から滑り出るように、取り外し可能部分２をギター９のボディから引き離すことができる。そのとき、取り外し可能部分２に結合された弦４は、弦保持チャンネル６から滑り出て、ギター９のボディおよびサドル８から離れることができる。
【００２８】
図５〜８に示される更なる実施形態においては、弦は、図１〜４に示されるものとは異なる構成の開口（複数）を用いて取り外し可能部分に固定される。図５〜８は、取り外し可能部分が弦の各々に対して２つの開口を有し得ることを示す。これらの開口は、弦の自由端がブリッジの（ギターのボディの前面に関して垂直な）垂直外壁に対して留められるように、２つの穴が取り外し可能なブリッジの（ギターのボディの前面に関して水平な）水平軸に関して互いに対して斜めに位置するように構成され得る。
【００２９】
図２の実施形態に関しては、図５〜８の実施形態において、取り外し可能なブリッジ２は４つの側壁および上表面および下表面を有する。側壁の１つはギターのネックの方向に向く遠位端であり、もう一つの側壁はギターのネックと反対方向へ向く近位端である。近位および遠位の側壁は、ギターの共鳴室の上面の平面に実質的に垂直に延び、上表面および下表面はギターの共鳴室の表面の平面と平行である。
【００３０】
図５は、ギター９のボディに結合した取り外し可能なブリッジ２を示す。この取り外し可能なブリッジは、非取り外し可能部分３に結合される。非取り外し可能部分は、サドル８および弦保持チャンネル６を含む。ギターの弦（複数）４は、弦保持チャンネル６にはまり、取り外し可能部分２の遠位端における（図５には示されない）第１の開口の入口１０を通り抜ける。弦は、取り外し可能部分２の近位端において第１の開口の出口１１を通って開口を離れる。弦４は、取り外し可能部分２の近位端を上って、取り外し可能部分２の上表面上に進む。それから、弦４は取り外し可能部分２の上表面の第２の開口の入口１２を通り抜け、取り外し可能部分２の近位端上の第２の開口の出口１３を通って出る。第１の開口の出口１１と第２の開口の入口１２との間の弦４によって作られるループに弦を通すことによって、弦は固定される。こうして、これらの開口の構成によって、取り外し可能部分に弦は固定される。
【００３１】
図６は、取り外し可能部分２に複数の弦を固定するのに用いられる同じ構成の開口を示す。図６は、サドル８を乗越えて、非取り外し可能部分３の弦保持チャンネル６内へと通る弦４を示す。それから、図５に関して説明したように、これらの弦は取り外し可能部分を通過する。（図６に示されない）第１の開口の入口１０は弦４を受容し、この弦は第１の開口を通り抜け、第１の開口の出口１１から出る。弦４は、先に述べたように、第２の開口の入口１２を通り、第２の開口の出口１３から出る。それから、第１の開口の出口１１と第２の開口の入口１２の間で弦４によって作られるループの下に弦４を押し込むことによって、弦４は取り外し可能部分に固定される。
【００３２】
図７は、非取り外し可能部分３に結合された取り外し可能部分２を上から見た図である。この図は、サドル８を乗越えて、弦保持チャンネル６内へと通る弦４を示す。第１の開口の出口１１から第２の開口の入口１２に通る弦も示されている。
【００３３】
上表面における第２の開口の入口１２と近位端における第２の開口の出口１３との間の第２の開口の角度は、２つの事項によって制限される。
【００３４】
（１）主固定ブリッジが、ボディに対する堅固なアンカー（固定）を形成するために十分広い木材の表面積を有する必要性：もし、このブリッジが相対的に非常に狭いならば、弦によって作られる角度はより大きくなり、より大きな音の「歯切れ良さ（crispness）」を与え得るが、このブリッジ自体が弦楽器のボディから離脱する危険に曝され得る。
【００３５】
（２）弦の端を弦楽器のボディの表面から遠ざける必要性によっても弦の角度は制限される。もし、弦の端がボディと面一で現れるならば、角度は僅かにより急であり得るが、木材の上で振動する弦の端によって、演奏の間、「バズ音」が発生しやすく、このことは、良質で明瞭な音のためには避けられねばならない。
【００３６】
図８は、ギターから取り外された取り外し可能部分２を示す。この図は、第１の開口の入口１０および第２の開口の入口１２を通り抜ける弦を示す。図８の実施形態においては、この取り外し可能部分は、非取り外し可能部分３に取り外し可能部分２を固定するための非取り外し可能部分３上の溝にはまる舌部１４を有する。舌部１４は、非取り外し可能部分に当接する取り外し可能部分の表面から突起が突出するように、取り外し可能部分において段差を形成する。取り外し可能部分が非取り外し可能部分に結合されるとき、舌部は溝内に固定される。この溝は、ぴったり填る（タイトフィットの）スロットの形をとることができ、このタイトフィットは、弦の張力による取り外し可能部分の望まれない分離を防ぐ。この張力は、取り外し可能部分を弦楽器のボディから離そうとし、取り外し可能部分は弦楽器のボディに垂直に力を及ぼされる。したがって、取り外し可能部分は、舌部と非取り外し可能部分の溝との係合によって、適所に保持され維持され得る。
【００３７】
取り外し可能部分２の舌部１４は、上表面だけから木材を除去することで段差を作り、その下表面を切り取らないことで形成され得る。形成された舌部１４は、非取り外し可能部分２に結合する表面からの突起を作る。非取り外し可能部分３内の溝は、ギター９のボディの主表面の短い距離だけ上に配置することができる。他の実施形態においては、溝を有する取り外し可能部分と舌部を有する非取り外し可能部分によって、この構成を逆にすることができる。しかし、非取り外し可能部分３よりもむしろ取り外し可能部分２に溝を切ることが有利である。取り外し可能部分２は、ブリッジ全体の合計重量（２５グラム未満）を最小にするために必然的に非常に軽量（僅か２、３グラム）であり、ブリッジが軽い程、楽器はより応答性が良くなる。もし、取り外し可能部分２内に溝が切られることになっているならば、強度を確実にするために不十分な木材が残らず、取り外し可能部分２は弱くなるであろう。
【００３８】
１つの実施形態においては、ブリッジの取り外し可能部分２は、取り外し可能部分２の下面とギター９のボディとの間に１．５ｍｍのクリアランス（隙間）があるように配置される。このクリアランスは、取り外し可能部分２と非取り外し可能部分３との間に溝内舌部接続の配置によって形成され得る。
【００３９】
１つの実施形態においては、弦楽器は、舌部と溝との構成である保持手段（舌部は、取り外し可能部分および非取り外し可能部分の何れかの上にある）と、ボディの方向に実質的に垂直な方向への取り外し可能部分の移動を防ぐ手段（例えば、リップ）の両方を有し得る。
【００４０】
他の実施形態においては、前記２つの部分が接合されるときに前記２つの部分を更に確実に固定するために、取り外し可能部分２および非取り外し可能部分３は蟻継ぎ構成を更に含むことができる。
下記は、本願の出願当初に記載の発明である。
＜請求項１＞
弦楽器の弦を前記弦楽器のブリッジから単一部分として可逆的に取り外すための装置。
＜請求項２＞
前記装置が取り外し可能部分および非取り外し可能部分を含む、請求項１に記載の装置。
＜請求項３＞
前記非取り外し可能部分が、前記取り外し可能部分を固定するように適合されている、請求項２に記載の装置。
＜請求項４＞
前記取り外し可能部分が、前記弦楽器の前記弦に可逆的に結合するための手段を更に含む、請求項２又は３に記載の装置。
＜請求項５＞
前記弦に可逆的に結合するための手段は、前記取り外し可能部分に、前記弦の各々に対して少なくとも１つの開口を有する、請求項４に記載の装置。
＜請求項６＞
前記非取り外し可能部分は、前記取り外し可能部分に結合された前記弦の位置に対応する、前記弦の各々に対して１つの弦保持チャンネルを含み、前記取り外し可能部分が前記非取り外し可能部分によって固定されるときに、前記取り外し可能部分に結合された前記弦の各々が対応する弦保持チャンネル内に着座する、請求項２〜５のいずれかに記載の装置。
＜請求項７＞
前記非取り外し可能部分は、前記取り外し可能部分の意図しない離脱を防ぐ保持手段を有し、前記保持手段は、前記弦の張力に抗して前記取り外し可能部分を保持するように適合されている、請求項２〜６のいずれかに記載の装置。
＜請求項８＞
前記保持手段は、ボディの方向に実質的に垂直な方向での前記取り外し可能部分の動きを防ぐ手段を含む、請求項７に記載の装置。
＜請求項９＞
前記保持手段はリップを含み、前記リップは、前記弦楽器の前記ボディと実質的に平行な平面内で、前記弦楽器のネックから離れる方向に突出する、請求項８に記載の装置。
＜請求項１０＞
前記リップは、各弦が通ることができる弦保持チャンネルを有する、請求項９に記載の装置。
＜請求項１１＞
前記取り外し可能部分が前記非取り外し可能部分によって固定されるとき、前記取り外し可能部分は、前記弦楽器の前記ボディの表面より上に配置される、請求項１０に記載の装置。
＜請求項１２＞
前記取り外し可能部分が前記非取り外し可能部分によって固定されるとき、前記弦楽器の前記弦は前記弦楽器の共鳴室の開口の上に配置される、請求項７〜１１のいずれかに記載の装置。
＜請求項１３＞
前記取り外し可能部分が舌部を有する、請求項２〜８のいずれかに記載の装置。
＜請求項１４＞
前記非取り外し可能部分は溝を有し、前記取り外し可能部分の前記舌部が前記非取り外し可能部分の前記溝によって固定されるように、前記取り外し可能部分の前記舌部は前記非取り外し可能部分の前記溝に可逆的に結合する、請求項１３に記載の装置。
＜請求項１５＞
前記非取り外し可能部分が舌部を有する、請求項２〜８のいずれかに記載の装置。
＜請求項１６＞
前記取り外し可能部分は溝を有し、前記非取り外し可能部分の前記舌部が前記取り外し可能部分の前記溝によって固定されるように、前記非取り外し可能部分の前記舌部は前記取り外し可能部分の前記溝に可逆的に結合する、請求項１５に記載の装置。
＜請求項１７＞
前記取り外し可能部分は、共鳴室の表面より約１．５ｍｍだけ上で前記非取り外し可能部分に固定される、請求項１３〜１６のいずれかに記載の装置。
＜請求項１８＞
前記非取り外し可能部分は保持手段および溝の両方を含み、前記取り外し可能部分は舌部を含む、請求項７〜１７のいずれかに記載の装置。
＜請求項１９＞
前記取り外し可能部分は溝を含み、前記非取り外し可能部分は保持手段および舌部の両方を含む、請求項７〜１７のいずれかに記載の装置。
＜請求項２０＞
前記取り外し可能部分は４つの側壁および上表面および下表面を有し、前記側壁の１つは、前記弦楽器のネックの方向に向く遠位端であり、もう一つの側壁は、前記弦楽器の前記ネックの反対方向を向く近位端であり、近位および遠位の前記側壁は、前記共鳴室の上面の平面に実質的に垂直に延び、前記上表面および下表面は、前記共鳴室の表面の平面に平行である、請求項２〜１９のいずれかに記載の装置。
＜請求項２１＞
前記取り外し可能なブリッジは、前記取り外し可能部分に前記弦を固定するための２つ以上の開口を有する、請求項２０に記載の装置。
＜請求項２２＞
前記取り外し可能部分の前記２つ以上の開口のうちの第１の開口は、前記近位端と前記遠位端との間の導管を形成する、請求項２１に記載の装置。
＜請求項２３＞
前記取り外し可能部分の前記２つ以上の開口のうちの第２の開口は、前記上表面と前記近位端との間の導管を形成する、請求項２２に記載の装置。
＜請求項２４＞
前記弦を前記第１の開口に通し、それから前記第２の開口に通すことによって前記弦楽器の前記弦が固定され得るように、前記第１の開口と前記第２の開口は、互いからオフセットして配置される、請求項２３に記載の装置。
＜請求項２５＞
前記取り外し可能なブリッジは、前記弦楽器の前記弦の各々に対して第１の開口および第２の開口を含む、請求項２４に記載の装置。
＜請求項２６＞
添付図面を参照して本出願に実質的に記述された装置。
＜請求項２７＞
請求項１〜２６に記載の装置を有する非打撃型の弦楽器。
＜請求項２８＞
前記非打撃型の弦楽器がギターである、請求項２７に記載の非打撃型の弦楽器。
＜請求項２９＞
前記ギターが折り畳み可能なギターである、請求項２７又は２８に記載の非打撃型の弦楽器。
＜請求項３０＞
添付図面を参照して本明細書に実質的に記述された非打撃型の弦楽器。
【図１】
0006741902.tif 000002
【図２】
0006741902.tif 000003
【図３】
0006741902.tif 000004
【図４】
0006741902.tif 000005
【図５】
0006741902.tif 000006
【図６】
0006741902.tif 000007
【図７】
0006741902.tif 000008
【図８】
0006741902.tif 000009